(57)【要約】【課題】丸めて押しつぶしたり 握ってひねる 一部をつまむなどの人の手による任意の圧力での形状変化が可能であり、 元の平板なシート状に戻すことも容易な 繰り返し使用可能な造形シートを提供する。【解決手段】本発明の造形シートは アルミ箔と 繊維素材を積層させることにより 、アルミ箔の変形性と 繊維素材の柔軟性を併せ持つため、丸めて押しつぶしたり 握ってひねる 一部をつまむ などの人の手による任意の圧力での形状変化の保持が可能であり、元の平板なシート状に戻すことも容易に可能となる。【選択図】図１
2020011407.tif 000002
【特許請求の範囲】
【請求項１】
アルミ箔と繊維素材の積層から成る造形シートであって、前記造形シートは折り曲げ変形が可能であり、丸めて押しつぶしたり 握ってひねる 一部をつまむ などの人の手による任意の圧力での変形形状の保持が可能であり、変形後も元の平板なシート状に戻すことが容易であるため繰り返し使用可能なことを特徴とする造形シート。
【発明の詳細な説明】
【技術分野】
【０００１】
本発明は、アルミ箔と繊維材料を複数積層した 平版状シートであり、変形状態の保持と平版への復元が可逆的に可能な造形シートに関する。
【背景技術】
【０００２】
アルミと繊維材料を積層させた平版状シートが種々提案されている。 従来のアルミ積層シートは 機能して 断熱性と保温性を主眼としていた。
【先行技術文献】
【非特許文献】
【０００３】
【非特許文献１】実登3209574
【非特許文献２】特開2009-029465
【発明の概要】
【発明が解決しようとする課題】
【０００４】
アルミ箔は 人の手によって丸めて押しつぶすなど 形状を変化させた際、変形状態を保持することが可能である。しかしその反面、丸めて押しつぶしたアルミ箔を広げようとすると 折れ目から 裂けてしまうため 元のシート状に戻すことは困難である。
【０００５】
一般的な布などの繊維質の素材は 人の手によって丸めて押しつぶすなど 形状を変えようとしても 反発して広がろうとするため 形状を保持することが難しい。しかし 元の平版状に広げることは容易である。
【０００６】
以上2点より、アルミ箔と 布などの繊維質素材を積層させれば、人の手による 丸めて押しつぶす等の形状変化と それを広げて 平版なシートに戻すことの繰り返しが 可能なはずである。
【０００７】
しかしながら 従来の アルミと繊維質素材の積層シートは 保温性や断熱性に着目して作られており、造形素材としての利用は考えられていなかった。
【０００８】
また、既存の造形シートとしては 折り紙が一般的であるが、折り紙は 基本的に直線的に折り目をつけて造形するものであるため、 丸めて押しつぶしたり 握ってひねったり一部をつまんだり といった 人の手による任意の圧力での自由な造形の繰り返しには向いていない。
【課題を解決するための手段】
【０００９】
本発明の造形シートは アルミ箔と 布等の繊維質素材を積層させたシート素材であり、丸めて押しつぶしたり 握ってひねる 一部をつまむ などの人の手による任意の圧力での形状変化の保持が可能であると同時に元の平板なシート状に戻すことも可能であって、 可逆的な可塑性を持つシート状造形素材として 繰り返し使用できることを特徴とする。
【発明の効果】
【００１０】
本発明の造形シートは、可逆的な可塑性を持つシート素材であるため 人の手によって丸めて押しつぶすなどの変形状態の保持と 元の平版シートに戻すことが 繰り返しできる造形シートを提供することが出来る。
【００１１】
本発明の造形シートは、外部からの圧力による変形状態を保持できるため、人の手によって 丸めて押しつぶしたり 握ってひねったり 一部をつまんだりといった 捻れた面を持つ立体造形が可能な 造形シートを提供することが出来る。
【００１２】
本発明の利用法のひとつとして 梱包材としての有用性がある。本考案は繊維素材の積層構造であるためクッション性に富んでいる。また、変形形状の保持の特性があるため 物を包む際に 接着テープなどの副資材が不要でありながら、内容物を保護することができる。繰り返し使用可能な梱包材としての活用が考えられる。
【図面の簡単な説明】
【００１３】
【図１】本発明に係る造形シートの断面図。
【図２】本発明に係る造形シートの写真。
【図３】本発明に係る造形シートを手で握った変形例を示す写真
【図４】本発明に係る造形シートを折り曲げてひねった変形例を示す写真。
【図５】本発明に係る造形シートの使用例を示す写真。
【図６】本発明に係る造形シートでの造形例を示す写真。
【図７】本発明に係る造形シートでの造形例を示す写真。
【発明を実施するための形態】
【００１４】
以下、図面を参照して本発明の実施例について説明する。各図で同一番号のものは同じ内容を示す。なお、本発明の実施の形態は、本実施例に限定されるものではない。
【実施例】
【００１５】
造形シートは アルミ箔と布などの繊維質素材の積層で構成される。図1は本考案における実施例の断面図である。
【００１６】
図1において、1は本発明の造形シートの基材となる繊維素材である。実施例では、1をポリエステル製の不織布とした。2は金属箔である。実施例では2をアルミ箔とした。3はアルミの表面保護とシートの強度を加味するための繊維素材である。実施例ではポリエステル製の平織り布を併用した。
【００１７】
図2は、 造形シートの実施例の写真である。図2(a）は基本の正方形、図2（ｂ）はデザインを加えたものである。平面形状を正方形にすることで折り紙と同じ折り曲げて製作する造形製作も可能である。さらに 本発明の特徴である 変形状態保持により 折り紙的な造形に 捻りや 曲げなどのアレンジを加えることも出来る。
【００１８】
本発明の造形シートは平面形状において、辺が直線で構成される多角形以外の形状も考えられる。平面形状を様々な形状にすることで造形製作の可能性が広がる。
【００１９】
図3は、本発明の変形状態を示す写真である 。図3（a）は実施例を握ったようすを示す。図3（ｂ）は実施例が 変形形状を保持しているようすを示す。図3（ｃ）は図3（ｂ）の実施例を少し広げたようすを示す。図3（ｄ）は実施例を平版状に戻したようすを示す。このように 本発明の造形シートは可逆的に形状の変化を保持できる。
【００２０】
図4は、本発明の変形状態を示す写真である 。図4（a) 図4（ｂ）とも 実施例の造形シートを折りたたんでひねったようすを示す。このように 本発明は 人の手による圧力で 簡単に形状を変えることができる。
【００２１】
図5は、本発明の利用法のひとつである梱包材としての有用性を示す写真である。図5（a) は生卵1つ、図5（ｂ）は生卵2つを実施例の造形シート1枚で 転がらないように保持しているようすである。本発明は繊維素材が積層しているためクッション性に富んでいて 生卵のような壊れやすい物の梱包に適している。また、アルミ箔の変形形状の保持の特性があるため 物を包む際に 接着テープなどの副資材無しで 内容物を保持することができる。
【００２２】
図6は 本発明の造形シートによる作例を示す。作例は 実施例の造形シートを指で摘んでひねりを加えて容器を製作したものである。同じことを 折り紙でやる場合、 柔らかい紙では形状保持が不可能であるため接着剤などの副資材が必要であるし、硬い紙だと曲線の折り目をつけながら曲げることに習熟が必要なため難しい。その点、本発明は造形することが誰にでも容易に出来る造形シートであるといえる。
【００２３】
図7は 本発明の造形シートによる作例を示す。図7（a）は 実施例の造形シートで製作した猫の造形である。図7（ｂ）は 実施例の造形シートで製作した犬の造形である。図7（ｃ）は 実施例の造形シートで製作した薔薇の造形である。このような複雑な形状を 布で製作する場合、縫ったり 中に綿を詰めるなど 形状を保つための副資材が必要になるが、本発明の造形シートは シート単体で形状を保つことができる。
【００２４】
図3から図7までの作例と同様な造形は アルミ箔単体でも可能であるが、 アルミ箔の場合、一度造形すると 元の平版に戻すことがほぼ不可能であり、失敗した場合は材料が無駄になってしまう。本考案の造形シートであれば 造形後も容易に元の平版に戻すことが出来るため、造形の試行錯誤が可能であり、何度も繰り返して使用できるため 失敗の心配をすることなく 造形を製作することができる。
【符号の説明】
【００２５】
1・・・繊維素材     2・・・アルミ箔   3・・・繊維素材
【図１】
2020011407.tif 000003
【図２】
2020011407.tif 000004
【図３】
2020011407.tif 000005
【図４】
2020011407.tif 000006
【図５】
2020011407.tif 000007
【図６】
2020011407.tif 000008
【図７】
2020011407.tif 000009